(57)【要約】【課題】開封用ミシン目をなくして、情報表示部分の面積を増加するとともに、返信葉書を封書内に挿入する動作が不要となる返信葉書付き封書用シートを提供する。【解決手段】返信葉書付き封書用シート１は、１枚のシートを互いに平行な折り部２ａ，２ｂ，２ｃで折り重ね、折り重ねた各重ね合わせ面を剥離可能に全面的に接着して封書とすべく、各重ね合わせ面には剥離可能な感圧性接着剤２６ａ，２６ｂを全面的に設けてなり、シートの封書形成時に外部に露出しない返信葉書片６には、返信葉書を切り取り部で区画形成するとともに、この返信葉書に切り取り部を境としてクーポン券を連接する一方、シートの封書形成時に外部に露出する宛名表示片３の表出面には宛名情報表示部を設け、シートの各重ね合わせ面には、返信葉書部分を除いてニス２７ａ，２４ｂを塗布する。【選択図】　　　　図３
2004082587.tif 000002
【特許請求の範囲】
【請求項１】
１枚のシートを互いに平行な折り部で折り重ね、折り重ねた各重ね合わせ面を剥離可能に全面的に接着して封書とすべく、各重ね合わせ面には剥離可能な接着剤を全面的に設けてなり、シートの封書形成時に外部に露出しない部分には、返信葉書を切り取り部で区画形成するとともに、この返信葉書に前記切り取り部を境としてクーポン券を連接する一方、シートの封書形成時に外部に露出する部分には宛名情報表示部を設けたことを特徴とする返信葉書付き封書用シート。
【請求項２】
クーポン券は返信葉書の上下端に切り取り部を境として連接したことを特徴とする請求項１に記載の返信葉書付き封書用シート。
【請求項３】
シートの各重ね合わせ面には、返信葉書部分を除いて、ニスを塗布したことを特徴とする請求項１又は請求項２に記載の返信葉書付き封書用シート。
【発明の詳細な説明】
【０００１】
【発明の属する技術分野】
本発明は、１枚のシートを折り部で折り重ねて封書を形成するための封書用シートに関し、特に、返信葉書をシートの一部に設けた返信葉書付き封書用シートに関する。
【０００２】
【従来の技術】
従来から、１枚のシートを折り部で折り重ねて封書を形成するための封書用シートは各種知られているが、この種封書用シートでは、封書を形成したときの三周縁に開封用ミシン目を設けるとともに、この開封用ミシン目の外側に封着用の接着剤を設けているのが一般的である。また、従来においては、返信葉書を封書で送付する際には、別体の葉書を挿入した後、封着用の接着剤で封緘して送付するのが一般的である。
【０００３】
【発明が解決しようとする課題】
このため、従来の封書用シートにあっては、開封用ミシン目の存在によって、情報表示部分の面積が狭くなってしまうという不都合があった。また、返信葉書を封書内に挿入する動作が煩雑で、作業効率が悪いという不都合もあった。本発明はこのような不都合を解消した返信葉書付き封書用シートを提供することを目的とする。
【０００４】
【課題を解決するための手段】
この目的を達成するために、本発明の請求項１に係る返信葉書付き封書用シートは、１枚のシートを互いに平行な折り部で折り重ね、折り重ねた各重ね合わせ面を剥離可能に全面的に接着して封書とすべく、各重ね合わせ面には剥離可能な接着剤を全面的に設けてなり、シートの封書形成時に外部に露出しない部分には、返信葉書を切り取り部で区画形成するとともに、この返信葉書に前記切り取り部を境としてクーポン券を連接する一方、シートの封書形成時に外部に露出する部分には宛名情報表示部を設けたことを特徴とする。
【０００５】
同じく上述した目的を達成するために、本発明の請求項２に係る返信葉書付き封書用シートは、請求項１記載の構成において、クーポン券を、返信葉書を形成する際に余白となる、返信葉書の上下端に切り取り部を境として連接したものである。
【０００６】
また、同じく上述した目的を達成するために、本発明の請求項３に係る返信葉書付き封書用シートは、請求項１又は請求項２に記載の構成において、シートの各重ね合わせ面には、返信葉書部分を除いて、ニスを塗布したことを特徴とするものである。このニスは、シート面に光沢を与え、見栄えをよくするが、塗布面は筆記性に劣るため、二次記入が行われる返信葉書面には塗布しないものであり、また、このニスは剥離可能な接着剤の接着力に支障がない程度に塗布する。
【０００７】
【発明の実施の形態】
以下、本発明の好適な実施の形態を添付図面に基づいて詳細に説明する。ここにおいて、図１は返信葉書付き封書用シートの表面側を示す平面図、図２は同じく裏面側を示す平面図、図３は図１のＡ−Ａ線断面図、図４は作成した封書を示す斜視図である。
【０００８】
図１〜図３に示すように、返信葉書付き封書用シート１は、１枚のシートを折り部２ａ，２ｂ，２ｃを境として幅方向にほぼ４等分し、宛名表示片３と、第１情報表示片４と、第２情報表示片５と、返信葉書片６を形成してなる。前記宛名表示片３と前記第１情報表示片４との境の折り部２ａと、前記第１情報表示片４と前記第２情報表示片５との境の折り部２ｂとは、特に何らの表示もされていない折り予定部なので仮想線で示している。
【０００９】
一方、第２情報表示片５と返信葉書片６との境の折り部２ｃは、折り兼切り用ミシン目からなる。前記返信葉書片６は、切り用ミシン目７ａ，７ｂ，７ｃ，７ｄで区画形成した、上下端部（天地端部）に位置する４枚のクーポン券８ａ，８ｂ，８ｃ，８ｄと返信葉書９とからなる。そして、返信葉書９を区画形成する切り用ミシン目７ａ，７ｂと折り兼切り用ミシン目２ｃの一部で、切り取り部を構成する。
【００１０】
この返信葉書付き封書用シート１は、図２に示す返信葉書片６の裏面側を折り部２ｃから第２情報表示片５の裏面側に折り重ね、さらに、表出している前記返信葉書片６の表面側を第１情報表示片４の裏面側に重なるよう折り部２ｂで折り重ね、さらに続けて、表出している第２情報表示片５の表面側を宛名表示片３の裏面側に重なるよう折り部２ａで折り重ねて、封書とするものである。したがって、宛名表示片３と第１情報表示片４の各表面側が、封書形成時の表出面となる一方、残りの各面はそれぞれ重ね合わせ面となるものである。
【００１１】
また、返信葉書付き封書用シート１の幅方向両端、すなわち、宛名表示片３の折り部２ａとは反対側端と、返信葉書片６の折り部とは反対側端には、それぞれマージナル孔１０ａ，１０ｂを等間隔に多数透設したマージナル部１１ａ，１１ｂを切り部１２ａ，１２ｂを境に設けている。これら切り部１２ａ，１２ｂも各折り部２ａ，２ｂと同様に、特に何らの表示もされていない切断予定部なので仮想線で示している。前記宛名表示片３の切り部１２ａに沿った下隅部には、三角形状の切り欠き部１３を設けている。図示していないが、返信葉書付き封書用シート１は、上下方向（天地方向）に折り兼切り用ミシン目を介して、多数連接した連続状態にある。
【００１２】
図１に示すように、返信葉書付き封書用シート１の表面側は、宛名表示片３の表面側が宛名表示面となり、あらかじめ切り欠き部１３に向けた矢印と「ここからお開け下さい」という文からなる剥離開始端指示表示１４を印刷している。なお、図示している宛名情報１５は、追って印字するもので当初は表示されていない。また、第１情報表示片４と第２情報表示片５の表面側には、あらかじめ案内文や、説明文などの適宜な伝達情報１６，１７を印刷している。
【００１３】
さらに、返信葉書片６の表面側には、返信葉書９にあらかじめ葉書表示２９と返信宛名情報３０と返信差出人情報表示欄１８とを印刷している。前記返信差出人情報表示欄１８に表示する返信差出人情報１９は、前記宛名情報１５と同一内容であり、この宛名情報１５とともに追って印字するもので、図示してはいるが当初は表示されていない。また、各クーポン券８ａ，８ｂ，８ｃ，８ｄの表面側には、「クーポン券」という表題をはじめとするクーポン券情報２０ａ，２０ｂ，２０ｃ，２０ｄをあらかじめ印刷している。
【００１４】
一方、図２に示すように、返信葉書付き封書用シート１の裏面側には、宛名表示片３と第１情報表示片４と第２情報表示片５の裏面側に、あらかじめ案内文や、説明文などの適宜な伝達情報２１，２２，２３を印刷している。また、返信葉書片６の裏面側には、返信葉書９の裏面に、返信葉書差出人が返信情報を記入する返信記入欄２４を「返信欄」という表題ともにあらかじめ印刷し、各クーポン券８ａ，８ｂ，８ｃ，８ｄの裏面には、クーポン券８ａ，８ｂ，８ｃ，８ｄの使用方法などの説明文２５ａ，２５ｂ，２５ｃ，２５ｄをあらかじめ印刷している。なお、上述したすべての印刷は、次に説明する感圧性接着剤２６ａ，２６ｂ上になされている。
【００１５】
図３に示すように、返信葉書付き封書用シート１の表裏面には、全面的に剥離可能な感圧性接着剤２６ａ，２６ｂを塗布している。この感圧性接着剤２６ａ，２６ｂは、印字、印刷が可能で、例えば、一旦接着すると再剥離困難な感圧性の非剥離性接着剤基剤に、この接着剤基剤に対して非親和性を示す微粒状充てん剤を配合してなるものが好適である。前記接着剤基剤としては、従来公知の感圧性接着剤でよく、具体的には、天然ゴムにスチレンとメタクリル酸メチルとをグラフト共重合させて得られた天然ゴムラテックスが、耐ブロッキング性、耐熱性、耐摩耗性等の点で好適である。
【００１６】
一方、接着剤基剤に対して非親和性を示す微粒状充てん剤としては、例えば、酸化亜鉛、酸化チタン、炭酸カルシュウム、カオリン、活性白土、球状アルミナ、小麦デンプン、シリカ、ガラス粉末、シラスバルーン等を挙げることができる。これらの材料は、単独でも、複数組み合わせてもよいが、特に、シリカと他の適宜な充てん剤との組み合わせが好適である。また、粒径の異なる２種類以上を組み合わせると、接着剤塗布面を凹凸状に形成しやすいので、剥離性能が向上する。
【００１７】
上述した微粒状充てん剤の配合割合によって、感圧性接着剤２６ａ，２６ｂによる接着面の剥離強度を調整できる。微粒状充てん剤としてシリカを添加すると、感圧性接着剤２６ａ，２６ｂの塗膜を強化しうるとともに、その多孔性により、感圧性接着剤２６ａ，２６ｂが表面に付着しやすいので、接着力や剥離力を調整しやすいという利点がある。また、シリコンオイルを用いているプリンタにより、ノンインパクト方式で印字した場合でも、シリカがシリコンオイルを吸収するので、感圧性接着剤２６ａ，２６ｂがシリコンオイルにより接着しなくなることもない。
【００１８】
同じく図３に示すように、返信葉書付き封書用シート１の表面側における第２情報表示片５面と、裏面側における返信葉書片６の返信葉書９表裏面を除いた他の部分には、ニス２７ａ，２７ｂを塗布し、光沢を与えている。このニス２７ａ，２７ｂは、上述の感圧性接着剤２６ａ，２６ｂの設定した接着力に悪影響を与えない程度に調整して塗布するものである。
【００１９】
続いて、以上のように構成した本実施形態における返信葉書付き封書の作成方法を説明する。連続状態にある返信葉書付き封書用シート１を、そのマージナル孔１０ａ，１０ｂを利用してトラクタ（図示せず）により所定方向に移送し、あらかじめ印字データを入力しておいたコンピュータ（図示せず）の出力装置であるプリンタ（図示せず）によって、返信葉書付き封書用シート１の表面側に宛名情報１５と返信差出人情報１９とを印字する。これら情報１５，１９を同時に印字することによって、両情報１５，１９にマッチングミスが生じることはない。
【００２０】
次に、返信葉書付き封書用シート１の両側にある切り部１２ａ，１２ｂを切断して、マージナル部１１ａ，１１ｂを除去し、さらに、連続状態から単片化する。そして、図２に示す返信葉書付き封書用シート１の裏面側において、返信葉書片６の裏面側を折り部２ｃから第２情報表示片５の裏面側に折り重ね、さらに、表出している前記返信葉書片６の表面側を第１情報表示片４の裏面側に重なるよう折り部２ｂで折り重ね、さらに続けて、表出している第２情報表示片５の表面側を宛名表示片３の裏面側に重なるよう折り部２ａで折り重ねたうえ、所定の圧力を付与して感圧性接着剤２６ａ，２６ｂを活性化し、重ね合わせ面を全面的に剥離可能に接着して、図４に示す封書２８とするものである。
【００２１】
この封書２８は、通常の封書と同様にして投函可能であり、一方、この封書２８を受領した宛名人は、剥離開始端指示表示１４にしたがって、各片６，５，４を順次捲り上げて重ね合わせ接着面を剥離することにより、展開状態の返信葉書付き封書シート１とすることができる。そして、切り取り部である折り兼切り用ミシン目２ｃ及び切り用ミシン目７ａ，７ｂを破断して返信葉書９を切り離し、その裏面の返信欄２４に所定事項を記入すれば、返信差出人情報が既に印字されているので、これを通常の葉書と同様に投函することができる。また、各クーポン券８ａ，８ｂ，８ｃ，８ｄは、切り用ミシン目７ｃ，７ｄを破断して１枚ずつ切り離し、使用することができる。
【００２２】
なお、本発明は、上述の実施形態に限定されるものではなく、例えば、クーポン券８ａ，８ｂ，８ｃ，８ｄは、返信葉書９の上下端にミシン目７ａ，７ｂを境として２枚ずつ連接するほか、前記上下端の一方端側にのみ連接したり、返信葉書片６と折り兼切り用ミシン目２ｃを境に連接する第２情報表示片５に、前記返信葉書９と連接するよう設けてもよい。また、返信葉書付き封書用シート１は、四つ折りして封書２８を作成する構成に限らず、三つ折りして封書を形成するものでもよい。
【００２３】
【発明の効果】
以上のように、本発明の請求項１に記載の返信葉書付き封書用シートによれば、重ね合わせ面を全面的に剥離可能に接着して、開封用ミシン目がないので、情報表示面積が増加し、また、クーポン券を返信葉書とともに、郵送できるほか、返信葉書を封書に挿入するという煩雑な作業が不要になるという効果を奏する。
【００２４】
また、本発明の請求項２に記載の返信葉書付き封書用シートによれば、上述した効果に加えて、クーポン券を、返信葉書を設けることによりシートに生じる返信葉書の上下端の余白部分に設けるので、シートの大きさを有効に活用して、無駄がない、という効果を奏する。
【００２５】
さらに、本発明の請求項３に記載の返信葉書付き封書用シートによれば、上述した各効果に加えて、ニスを塗布することにより光沢を生じて見栄えがよくなる一方、返信葉書にはニスを塗布しないので、筆記性を阻害することがなく返信時の記入を良好に行える、という効果を奏する。
【図面の簡単な説明】
【図１】返信葉書付き封書用シートの表面側を示す平面図。
【図２】同じく裏面側を示す平面図。
【図３】図１のＡ−Ａ線断面図。
【図４】作成した封書を示す斜視図。
【符号の説明】
１　　　返信葉書付き封書用シート
２ａ，２ｂ，２ｃ　　　折り部
３　　　宛名表示片
４　　　第１情報表示片
５　　　第２情報表示片
６　　　返信葉書片
７ａ，７ｂ，７ｃ，７ｄ　　　切り用ミシン目
８ａ，８ｂ，８ｃ，８ｄ　　　クーポン券
９　　　返信葉書
２６ａ，２６ｂ　　　感圧性接着剤
２７ａ，２７ｂ　　　ニス
【図１】
2004082587.tif 000003
【図２】
2004082587.tif 000004
【図３】
2004082587.tif 000005
【図４】
2004082587.tif 000006